(57)【要約】【課題】多機能操作モードのフードプロセッサーの提供。【解決手段】モータ運転モード制御プログラムが書き込まれたコントロールチップを具えたＣＰＵと、使用者の選択制御に便利な複数のスイッチを具えてフードプロセッサーの全ての機能の作動モードの制御を指揮して使用者の必要な操作モードを実行するのに供される入力制御ユニットと、モータ及びＣＰＵのコントロールチップの必要な電力を提供する電源装置と、モータの制御回路に連接されて検出回路を形成し交流正弦波零レベルを検出する機能を具え、並びに検出した信号をＣＰＵのコントロールチップに伝送し、コントロールチップに正確に交流電気の位相角を制御させて、モータ回転速度の制御不能状態を防止する位相検出器と、スイッチ素子を具えてモータ運転を制御するモータ制御ユニットを具えている。【選択図】        図１
2004166950.tif 000002
【特許請求の範囲】
【請求項１】
多機能操作モードのフードプロセッサーにおいて、
異なる食品処理モードに対応するモータ運転モード制御プログラムが記録されたコントロールチップを具えたＣＰＵと、
異なる食品処理モードに対応する複数のスイッチを具えて使用者の選択制御に供し、命令をＣＰＵに伝送してＣＰＵによるフードプロセッサーの全ての機能の作動モードの制御指揮に供し、使用者が必要とする操作モードを実行するのに供される入力制御ユニットと、
フードプロセッサーのモータ及びＣＰＵのコントロールチップの必要な電力を提供する電源装置と、
モータの制御回路に連接されて検出回路を形成し交流正弦波零レベルを検出する機能を具え、並びに検出した信号をＣＰＵのコントロールチップに伝送し、コントロールチップに正確に交流電気の位相角を制御させて、モータ回転速度の制御不能状態を防止する位相検出器と、
スイッチ素子を具えてモータ運転を制御するモータ制御ユニットと、
を具え、以上の設置により、入力制御ユニットの各スイッチが異なる制御機能を表示し、食品を処理する時、使用者が必要な操作モードを起動すれば、モータの回転速度、時間、周期、暫時停止等の変化機能を実行でき、各種の食物処理上の必要に符合し、多機能の操作モード選択を達成することを特徴とする、多機能操作モードのフードプロセッサー。
【請求項２】
請求項１に記載の多機能操作モードのフードプロセッサーにおいて、入力制御ユニットのスイッチが発光表示素子を具えたことを特徴とする、多機能操作モードのフードプロセッサー。
【請求項３】
請求項１に記載の多機能操作モードのフードプロセッサーにおいて、モータ制御ユニットのスイッチ素子がトライアックとされたことを特徴とする、多機能操作モードのフードプロセッサー。
【発明の詳細な説明】
【０００１】
【発明の属する技術分野】
本発明は一種の多機能操作モードのフードプロセッサーに係り、特に、使用者が食品を処理する時に、食品のタイプにより、適合する操作モードを選択に供し、並びに自動的に全部の食品処理のプロセスを完成し、使用者が分段式に手動操作する必要がなく、使用上、非常に便利であるフードプロセッサーに関する。
【０００２】
【従来の技術】
一般に目にするフードプロセッサーは、食品を投入するカップを具え、カップの内側に攪拌器（カッタ）が取り付けられ、該攪拌器（カッタ）がフードプロセッサー内部に設置されたモータに駆動され、モータの起動と停止がフードプロセッサーのコントロールパネル上で制御され、パネルに通常、モータの低速、中速、高速の三種類の回転速度スイッチとオフスイッチが設けられて使用者の選択に供され、モータを起動し回転させた後に、カップ内の攪拌器（カッタ）が回転し、カップ内の食品を粉砕処理する機能を達成する。
【０００３】
上述のフードプロセッサーは食品の処理操作を行う時、手動方式でモータを起動し運転させ、さらに手動方式でモータの運転を停止させる操作を行う。周知のフードプロセッサーの一部の機種にはモータ運転時間を制御する機能を具えたものもあり、手動でのモータ運転のオンオフ操作を不要としているが、実際には周知のこのような操作モードはただモータの回転速度を制御できるか、或いはモータ運転の時間を制御するだけの機能に過ぎず、各種の食品処理の要求には不適用とされる。なぜなら、周知のこのようなフードプロセッサーの提供する操作モードは僅かにその処理する食品を一定速度に保持するだけであり、使用者が一旦モータの運転制御キーを起動すると、モータが一定の回転速度を維持して使用者がモータスイッチ或いは電源スイッチをオフとするまで運転を続ける。言い換えると、周知のフードプロセッサーは、一回の食品処理において、モータが回転速度の自動改変或いは暫時停止後に再度自動運転する機能を具備せず、ゆえに周知の操作モード機能選択は極めて少なく、毎回キーを押しても僅かにモータの単一回転速度を制御できるだけである。しかしフードプロセッサーの機能から言うと、例えばバターやパン生地等は、処理過程中にモータの単一回転速度キーを押せば自動完成するわけではなく、数回の操作過程を行わねばならず、このため食品処理過程中に異なる程度の処理方式が必要であり、周知のフードプロセッサーは機能上明らかに改善が必要である。
【０００４】
【発明が解決しようとする課題】
本発明の主要な目的は、一種の多機能操作モードのフードプロセッサーを提供し、それは、使用者が食品処理を行う時、食品のタイプにより、適合する操作モードを選択に供することができ、並びに全体の食品処理のプロセスを自動完成し、処理過程中に分段式の手動操作を行う必要がなく、使用上、非常に便利であるものとする。
【０００５】
【課題を解決するための手段】
請求項１の発明は、多機能操作モードのフードプロセッサーにおいて、
異なる食品処理モードに対応するモータ運転モード制御プログラムが記録されたコントロールチップを具えたＣＰＵと、
異なる食品処理モードに対応する複数のスイッチを具えて使用者の選択制御に供し、命令をＣＰＵに伝送してＣＰＵによるフードプロセッサーの全ての機能の作動モードの制御指揮に供し、使用者が必要とする操作モードを実行するのに供される入力制御ユニットと、
フードプロセッサーのモータ及びＣＰＵのコントロールチップの必要な電力を提供する電源装置と、
モータの制御回路に連接されて検出回路を形成し交流正弦波零レベルを検出する機能を具え、並びに検出した信号をＣＰＵのコントロールチップに伝送し、コントロールチップに正確に交流電気の位相角を制御させて、モータ回転速度の制御不能状態を防止する位相検出器と、
スイッチ素子を具えてモータ運転を制御するモータ制御ユニットと、
を具え、以上の設置により、入力制御ユニットの各スイッチが異なる制御機能を表示し、食品を処理する時、使用者が必要な操作モードを起動すれば、モータの回転速度、時間、周期、暫時停止等の変化機能を実行でき、各種の食物処理上の必要に符合し、多機能の操作モード選択を達成することを特徴とする、多機能操作モードのフードプロセッサーとしている。
請求項２の発明は、請求項１に記載の多機能操作モードのフードプロセッサーにおいて、入力制御ユニットのスイッチが発光表示素子を具えたことを特徴とする、多機能操作モードのフードプロセッサーとしている。
請求項３の発明は、請求項１に記載の多機能操作モードのフードプロセッサーにおいて、モータ制御ユニットのスイッチ素子がトライアックとされたことを特徴とする、多機能操作モードのフードプロセッサーとしている。
【０００６】
【発明の実施の形態】
本発明の多機能操作モードのフードプロセッサーは、モータ運転モード制御プログラムが書き込まれたコントロールチップを具えたＣＰＵと、使用者の選択制御に便利な複数のスイッチを具えてフードプロセッサーの全ての機能の作動モードの制御を指揮して使用者の必要な操作モードを実行するのに供される入力制御ユニットと、モータ及びＣＰＵのコントロールチップの必要な電力を提供する電源装置と、モータの制御回路に連接されて検出回路を形成し交流正弦波零レベルを検出する機能を具え、並びに検出した信号をＣＰＵのコントロールチップに伝送し、コントロールチップに正確に交流電気の位相角を制御させて、モータ回転速度の制御不能状態を防止する位相検出器と、スイッチ素子を具えてモータ運転を制御するモータ制御ユニットを具えている。以上の設置により、入力制御ユニットの各スイッチが異なる制御機能を表示し、食品を処理する時、使用者が必要な操作モードを起動すれば、モータの回転速度、時間、周期、暫時停止等の変化機能を実行でき、各種の食物処理上の必要に符合し、多機能の操作モード選択を達成している。
【０００７】
【実施例】
図１、２は本発明の実施例のフードプロセッサーの全体装置の制御フロー及び電気回路図である。全体の制御構造は以下を具えている。即ち、
ＣＰＵ１とされ（マイクロコンピュータＩＣを設置可能である）、内部に既に多種類のモータ１１運転モードプログラムが記録されたコントロールチップ１０を具え、後述の入力制御ユニット２の命令を受け取り、本フードプロセッサーの全ての機能の作動モードを指揮し、使用者の必要な操作モードを実行する上記ＣＰＵ１と、
入力制御ユニット２とされ、マンマシンインタフェース機能の選択キーとされて直接フードプロセッサーに設置されて使用者が機能選択制御するのに便利であり、全体の該入力制御ユニット２の外観は、実施上、図３に示されるようであり、１１個のキー機能が使用者の選択に供され、且つ各一つのキー２０がそれぞれ操作機能を表示し、それは「オフ（ＯＦＦ）」「滑らかにする（Ｓｍｏｏｔｈｉｅ）」「アイスクラッシュ（Ｉｃｅ  Ｃｒｕｓｈ）」「ミルクシェーク（Ｍｉｌｋ  Ｓｈａｋｅ）」「刻む（Ｃｈｏｐ）」「低速（ＬＯＷ）」「高速（ＨＩＧＨ）」「パルス（ＰＵＬＳＥ）」等のキーを含み、そのうち、「オフ（ＯＦＦ）」キー２０のほかの他の１０個のキーはいずれもキーボードの表面に発光表示素子３０（例えばＬＥＤ）を搭載し、これらの発光表示素子３０が回路図中（図２参照）で表示ユニット３を組成し、その発光表示素子３０は回路図中では英文字ＬＥＤ１〜ＬＥＤ１０で示される合計十個であり、キーの数と符合する。これらキー２０の回路図（図２参照）にあっての位置は英文字Ｓ１〜Ｓ４、Ｓ８〜Ｓ１０、及びＳ１５〜Ｓ１８の三つのセクションの合計十一個のスイッチで示され、且つこれらスイッチの制御端ＧＰ０〜ＧＰ３はＣＰＵ１のコントロールチップ１０のピンに連接され、使用者がこれらのキー機能を透過し、コントロールチップ１０を駆動して設定されたモータ１１負荷操作運転モードを実行することができる、上記入力制御ユニット２と、
電源装置４とされ、交流電源（ＡＣ１１０Ｖ〜２２０Ｖ）の電力を本フードプロセッサーのモータ１１に供給し、またＣＰＵ１のコントロールチップ１０の必要とする電力を供給する、上記電源装置４と、
位相検出器５とされ、図１、２に示されるように、モータ１１の制御回路に連接されて検出回路を形成し、回路図にあって、トランジスタＱ１とダイオードＤ３の組合せを利用し、交流正弦波零レベルを検出する機能を具え、並びに検出した信号をＣＰＵ１のコントロールチップ１０のピンに伝送し、コントロールチップ１０に正確に交流電気の位相角を制御させて、モータ１１回転速度が制御不能となるのを防止する、上記位相検出器５と、
モータ制御ユニット６とされ、トライアック（ＴＲＩＡＣ；ｔｒｉｅｌｅｃｔｒｏｄｅ  ＡＣ  ｓｗｉｔｃｈ）の制御特性を利用し、モータ１１の運転を制御する、上記モータ制御ユニット６と、
を具えている。
【０００８】
本発明の上述の設置により、入力制御ユニット２の各スイッチが異なる制御機能を表示し、この制御機能はプログラムがＣＰＵ１のコントロールチップ１０内に記録される。異なる操作制御モードに対して、同一のモータ運転行程モード内でモータの回転速度、時間、周期、暫時停止等の変化機能が実行され、各種食品の処理上の需要に符合し、多機能操作モード選択の機能を達成する。
【０００９】
【発明の効果】
上述の本発明の説明から分かるように、周知の技術は本発明と同様にモータにより駆動して食品処理の機能を達成するが、周知のフードプロセッサーは僅かに単一のモータ運転機能しか有さず、並びに本発明のような多機能のモータ操作運転モードを具備せず、ゆえに本発明は周知の技術と比較すると、使用上、更に良好で、便利で、使用者が食品処理を行う上で多種類の選択を提供し、機能上、非常に増進されており、進歩性を有し、極めて実用的である。
総合すると、本発明の構造設計は発明の予期された目的と効果を達成し、且つ新規性を有し、伝統的なフードプロセッサーの単一種類の操作モードで機能性に欠如した欠点を改善し、確実に顕著な機能増進を有し、進歩性と産業上の利用性を有しており、特許の要件に符合する。なお、以上の実施例は本発明の実施範囲を限定するものではなく、本発明に基づきなしうる細部の修飾或いは改変は、いずれも本発明の請求範囲に属するものとする。
【図面の簡単な説明】
【図１】本発明の実施例の制御フローチャートである。
【図２】本発明の実施例の回路制御図である。
【図３】本発明の実施例のコントロールパネルの外観図である。
【符号の説明】
１  ＣＰＵ          ２  入力制御ユニット
３  表示ユニット    ４  電源装置
５  位相検出器      ６  モータ制御ユニット
１０  チップ        １１  モータ
２０  キー          ３０  発光表示素子
【図１】
2004166950.tif 000003
【図２】
2004166950.tif 000004
【図３】
2004166950.tif 000005